(57)【特許請求の範囲】
【請求項１】
表示パネルと、
前記表示パネルの周囲を囲う第一開口部を有する筐体と、
面方向のサイズが前記第一開口部よりも大きく、外周縁が前記筐体における前記第一開口部の周縁部に対向するように前記表示パネルの観察側に配置される保護パネルと、
前記保護パネルの外周縁と前記第一開口部の周縁部との間に挟まれた状態で介在する剛性パネルとを備え、
前記剛性パネルは、前記表示パネルの前記面方向のサイズよりも小さく、前記表示パネルの画像表示領域よりは大きい第二開口部を有するとともに、前記面方向と平行する方向に主平面を有し、前記面方向と異なる方向へ屈曲する部位を有さない平板形状であって、その板厚が前記筐体の板厚よりも薄く設定されていて、
前記保護パネルの外周縁と前記筐体における第一開口部の周縁部とは、全周にわたって前記剛性パネルを介してシール剤により固着されていることを特徴とする表示装置。
【請求項２】
請求項１記載の表示装置において、
前記剛性パネルの剛性は、前記筐体の剛性よりも高いことを特徴とする表示装置。
【請求項３】
請求項２記載の表示装置において、
前記筐体は樹脂から形成されていて、
前記剛性パネルはステンレス鋼から形成されていることを特徴とする表示装置。
【請求項４】
請求項１〜３のいずれか一項に記載の表示装置において、
前記シール剤は、前記保護パネルの外周縁と前記剛性パネルとを接着する第一シール剤と、前記筐体における第一開口部の周縁部と前記剛性パネルとを接着する第二シール剤とを有することを特徴とする表示装置。
【請求項５】
請求項１〜４のいずれか一項に記載の表示装置において、
前記筐体における第一開口部の周縁部表面は、前記表示パネルの表面と略面一となっていて、前記筐体における前記周縁部よりも外周となる部分は、前記周縁部よりも観察側に配置されていることを特徴とする表示装置。
【発明の詳細な説明】
【技術分野】
【０００１】
本発明は、表示装置に関する。
【背景技術】
【０００２】
従来、表示装置は、液晶表示パネルや有機ＥＬ表示パネル等の表示パネルと、表示パネルを収容する筐体とを有する（例えば特許文献１参照）。筐体には、表示パネルの表示領域を露出する開口が形成されている。筐体における開口の周縁部は、表示パネルの外周縁が露出しないように、当該表示パネルの外周縁に対して重なっている。また、表示パネルの観察側にはガラス板等からなる保護パネルが配置されている。保護パネルの外周縁は、筐体における開口の周縁部に重なっており、これらの間には防水性を確保すべくシール剤が介在している。このため、表示パネルと、保護パネルとの間には、少なくともシール剤と筐体との厚さ分だけクリアランスが形成されることになる。
【先行技術文献】
【特許文献】
【０００３】
【特許文献１】特開２００８−５２６０６号公報
【発明の概要】
【発明が解決しようとする課題】
【０００４】
しかしながら、近年においてはその他の電子機器と同様に表示装置の薄型化が望まれている。
本発明の課題は、薄型化を図ることのできる表示装置を提供することである。
【課題を解決するための手段】
【０００５】
請求項１記載の発明に係る表示装置は、
表示パネルと、
前記表示パネルの周囲を囲う第一開口部を有する筐体と、
面方向のサイズが前記第一開口部よりも大きく、外周縁が前記筐体における前記第一開口部の周縁部に対向するように前記表示パネルの観察側に配置される保護パネルと、
前記保護パネルの外周縁と前記第一開口部の周縁部との間に挟まれた状態で介在する剛性パネルとを備え、
前記剛性パネルは、前記表示パネルの前記面方向のサイズよりも小さく、前記表示パネルの画像表示領域よりは大きい第二開口部を有するとともに、前記面方向と平行する方向に主平面を有し、前記面方向と異なる方向へ屈曲する部位を有さない平板形状であって、その板厚が前記筐体の板厚よりも薄く設定されていて、
前記保護パネルの外周縁と前記筐体における第一開口部の周縁部とは、全周にわたって前記剛性パネルを介してシール剤により固着されていることを特徴とする。
【０００６】
請求項２記載の発明は、請求項１記載の表示装置において、
前記剛性パネルの剛性は、前記筐体の剛性よりも高いことを特徴としている。
【０００７】
請求項３記載の発明は、請求項２記載の表示装置において、
前記筐体は樹脂から形成されていて、
前記剛性パネルはステンレス鋼から形成されていることを特徴としている。
【０００８】
請求項４記載の発明は、請求項１〜３のいずれか一項に記載の表示装置において、
前記シール剤は、前記保護パネルの外周縁と前記剛性パネルとを接着する第一シール剤と、前記筐体における第一開口部の周縁部と前記剛性パネルとを接着する第二シール剤とを有することを特徴としている。
【０００９】
請求項５記載の発明は、請求項１〜４のいずれか一項に記載の表示装置において、
前記筐体における第一開口部の周縁部表面は、前記表示パネルの表面と略面一となっていて、前記筐体における前記周縁部よりも外周となる部分は、前記周縁部よりも観察側に配置されていることを特徴としている。
【発明の効果】
【００１０】
本発明によれば、薄型化を図ることのできる表示装置を提供することができる。
【図面の簡単な説明】
【００１１】
【図１】本実施形態に係る表示装置の概略構成を示す分解斜視図である。
【図２】図２の表示装置の概略構成を示す正面図である。
【図３】図２のIII−III切断線から見た断面図である。
【発明を実施するための形態】
【００１２】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１３】
図１は本実施形態の表示装置１の概略構成を示す分解斜視図であり、図２は表示装置１の正面図、図３は図２のIII−III切断線に沿った断面構成を模式的に示した断面図である。表示装置１は、例えば携帯電話機、デジタルカメラ、電子手帳、ＰＤＡ等であり、図１〜図３に示すように、表示パネル２と、表示パネル２を収容する筐体３と、表示パネル２の観察側に配置される保護パネル４とを有する。
【００１４】
表示パネル２は、例えば液晶表示パネルや有機ＥＬ表示パネルであり、その観察側の表面のうち、周縁部を除いた部分が画像表示領域２１となっている。表示パネル２の一端部には、各種信号が伝達される配線２２が接続されている。
【００１５】
筐体３は樹脂から形成されている。筐体３には、表示パネル２の周囲を囲う第一開口部３１が形成されていて、この第一開口部３１により表示パネル２の観察側の表面が露出する。そして、筐体３における第一開口部３１の周縁部３２の表面は、表示パネル２の観察側の表面と略面一となっている。また、筐体３における周縁部３２は、当該周縁部３２よりも外周となる部分３３からは凹んだ状態となっている。これにより、前記外周となる部分３３は、周縁部３２よりも観察側に配置されている。
【００１６】
保護パネル４は、面方向のサイズが第一開口部３１よりも大きく、周縁部３２の外形よりも小さくなるようにガラス板又はアクリル板から形成されている。これにより、保護パネル４が表示パネル２の観察側であって、筐体３の周縁部３２内に配置されると、保護パネル４の外周縁４１は、全周にわたって筐体３の周縁部３２に対向することになる。
【００１７】
また、保護パネル４の周囲には、化粧板であるアルミパネル５が保護パネル４の周縁に近接するように配置されている。アルミパネル５は、筐体３における周縁部３２よりも外周となる部分３３に接着されている。アルミパネル５の表面５１と、保護パネル４の表面４２とは略面一となっている。これにより、表示装置１の外観をフラットにすることができ、より薄型な印象が与えられるようになっている。
【００１８】
図２及び図３に示すように保護パネル４と筐体３とは、剛性パネル６及びシール剤７を介して固着されている。これら剛性パネル６とシール剤７とを合わせた厚みは、筐体３の板厚よりも薄く設定されている。
【００１９】
剛性パネル６は、その板厚が筐体３の板厚よりも薄い例えばステンレス鋼板等により枠状に形成されている。この剛性パネル６における面方向の外形サイズは、筐体３における周縁部３２内に収容されるサイズに形成されている（図２における左上から右下に延びる斜線からなるハッチング部）。そして、剛性パネル６には、表示パネル２の面方向のサイズよりも小さく、表示パネル２の画像表示領域よりは大きい第二開口部６１が形成されている。
【００２０】
シール剤７には、保護パネル４の外周縁と剛性パネル６とを接着する第一シール剤７１と、筐体３における周縁部３２と剛性パネル６とを接着する第二シール剤７２とが設けられている。
【００２１】
第一シール剤７１は、剛性パネル６の全周に亘るように、剛性パネル６の観察側の表面６３に貼付されている。第一シール剤７１は、枠状に形成されている（図２における右上から左下に延びる斜線からなるハッチング部）。第一シール剤７１における開口部７１１の面方向のサイズは、剛性パネル６の第二開口部６１よりも大きく形成されている。また、第一シール剤７１における面方向の外形サイズは、保護パネル４のサイズよりも小さく形成されている。
【００２２】
第二シール剤７２は、剛性パネル６の全周にわたるように、剛性パネル６の裏面６４に貼付されている。第二シール剤７２は、枠状に形成されている（図２における網掛部）。第二シール剤７２における開口部７２１の面方向のサイズは、筐体３の第一開口部３１よりも大きく形成されている。また、第二シール剤７２における面方向の外形サイズは、筐体３の周縁部３２よりも小さく形成されている。
【００２３】
このように、第一シール剤７１及び第二シール剤７２が剛性パネル６の全周にわたるように配置されて、剛性パネル６を介して保護パネル４の外周縁と、筐体３における第一開口部３１の周縁部３２とを接着しているので、筐体３内部に水が侵入してしまうのを確実に防止することができる。
そして、表示パネル２と保護パネル４との間には、筐体３の板厚よりも薄い剛性パネル６及びシール剤７が介在しているのみなので、従来のように表示パネル２と保護パネル４との間に筐体３が介在している場合よりも、表示パネル２と保護パネル４とのクリアランスを小さくすることが可能となる。これにより、薄型化を図ることのできる表示装置を提供することができる。
【００２４】
さらに、剛性パネル６の第二開口部６１は、その面方向のサイズが表示パネル２の画像表示領域よりも大きく形成されているので、表示パネル２の外周縁を観察側から覆うことができる。つまり、画像表示領域を充分露出させた状態で、表示パネル２の外周縁は観察側から見えにくくすることができ、見栄えをよくすることが可能となる。
【００２５】
そして、剛性パネル６の剛性が、筐体３の剛性よりも高いので、筐体３よりも薄い剛性パネル６であったとしても保護パネル４を強固に固定することができる。
また、シール剤７が第一シール剤７１と第二シール剤７２とを有しているので、剛性パネル６と保護パネル４との接着、剛性パネル６と筐体３との接着を個別に行えることができる。したがって、接着作業を簡易に行うことができる。
【００２６】
なお、本発明は上記実施形態に限らず適宜変更可能である。
例えば、本実施形態では、剛性パネル６が金属製である場合を例示して説明したが、筐体３の板厚よりも薄く形成したとしても筐体３よりも高い剛性を得られるのであれば、剛性パネルとして如何なる素材を用いることが可能である。
【符号の説明】
【００２７】
１      表示装置
２      表示パネル
３      筐体
４      保護パネル
５      アルミパネル
６      剛性パネル
７      シール剤
２１      画像表示領域
２２      配線
３１      第一開口部
３２      周縁部
３３      外周となる部分
４１      外周縁
４２      表面
５１      表面
６１      第二開口部
６３      表面
６４      裏面
７１      第一シール剤
７２      第二シール剤
７１１      開口部
７２１      開口部
【図１】
0005402325.tif 000002
【図２】
0005402325.tif 000003
【図３】
0005402325.tif 000004